(57)【要約】【課題】この発明は、狭い作業スペースでも、クランプに固定されて静止部材に取り付けられている基板を簡易に取り外すことができる基板取り外し用治具を得る。【解決手段】筐体１１と、筒体に作製され、筒体の一端側の開口縁部が可動係止片の外周面に係合して可動係止片を取付穴に挿通可能な閉脚状態に弾性変形させた状態で、係止部の取付穴からの延出部を収容する嵌着部１２と、嵌着部１２の他端と筐体１１とを連結一体化する支持棒１４と、筐体１１内に支持棒１４の長さ方向に往復移動可能に配設された把持部１９と、支持棒１４に支持棒１４の長さ方向に往復移動可能に支持されて支持棒１４に並設され、その一端が筐体１１内に延出して把持部１９に固着された作動棒１６と、嵌着部１２の一端側と対向するように作動棒１６の他端に固着され、把持部１９の嵌着部１２から離反する方向の移動により嵌着部１２との間に基板を挟持する爪部１７と、を備えている。【選択図】図２
2010270920.tif 000002
【特許請求の範囲】
【請求項１】
軸部、および軸部先端部から根元側に向かって開脚状に形成され、弾性変形して閉脚する可動係止片からなる係止部を有するクランプが、該軸部を静止部材の表面に起立状態に配設され、基板に穿設された取付穴に通された上記係止部の上記可動係止片と上記静止部材との間に挟持されて上記クランプに固定されて上記静止部材に装着された該基板を取り外す基板取り外し用治具であって、
筐体と、
筒体に作製され、該筒体の一端側の開口縁部が上記可動係止片の外周面に係合して該可動係止片を上記取付穴に挿通可能な閉脚状態に弾性変形させた状態で、上記係止部の該取付穴からの延出部を収容する嵌着部と、
上記嵌着部の他端と上記筐体とを連結一体化する支持棒と、
上記筐体内に上記支持棒の長さ方向に往復移動可能に配設された把持部と、
上記支持棒に該支持棒の長さ方向に往復移動可能に支持されて該支持棒に並設され、その一端が上記筐体内に延出して上記把持部に固着された作動棒と、
上記嵌着部の一端側と対向するように上記作動棒の他端に固着され、上記把持部の該嵌着部から離反する方向の移動により該嵌着部との間に上記基板を挟持する爪部と、
を備えていることを特徴とする基板取り外し用治具。
【発明の詳細な説明】
【技術分野】
【０００１】
この発明は、例えば、空気調和機の室外機の筐体内壁面に装備されたクランプに固定されて取り付けられている回路基板を簡易に取り外すための治具に関するものである。
【背景技術】
【０００２】
従来の空気調和機の室外機においては、回路基板がクランプに固定されて筐体内に収容されている。ここで、クランプは、例えば、ポリエチレンなどの弾性プラスチック材料で作製され、細長い平板状の基板部と、その片側表面の中央に立設された軸部、および軸部先端部から基板部側に向かって羽根状に伸張する一対の可動係止片からなる係止部と、で構成されている（例えば、特許文献１参照）。
【０００３】
このように構成されたクランプが、基板部の両端を筐体の内壁面に固着されて内壁面の所定位置に配設されている。そして、回路基板の四隅に開けられた取付穴に係止部を強制的に挿入すると、可動係止片が、弾性変形して取付穴を通り抜けると同時に元の形状に復帰し、可動係止片の自由端が回路基板の表面に当接し、回路基板が基板部と可動係止片との間に挟持される。これにより、回路基板がクランプに固定されて筐体内に収容される。
【先行技術文献】
【特許文献】
【０００４】
【特許文献１】特開平１１−２４３６２４号公報
【発明の概要】
【発明が解決しようとする課題】
【０００５】
従来の空気調和機の室外機において、回路基板を交換する事態が生じると、作業者は、手を筐体内に差し入れ、回路基板の取付穴から延出しているクランプの一対の可動係止片を、軸部先端部との連結部を支点として軸部側に近づくように回動させ、可動係止片による回路基板の係止を解除する。そして、作業者は、可動係止片による回路基板の係止を解除した状態を維持しつつ、回路基板をクランプから引き離して、回路基板を取り外すことになる。
【０００６】
しかし、従来の空気調和機の室外機は、コンパクトに作製され、かつ熱交換器、放熱ファンなどの構成部品が収納されていることから、筐体内での作業スペースが狭くなっているので、回路基板の取り外し作業が極めて煩雑なものとなり、作業者の作業負荷が増大するとともに、最悪の場合、クランプの係止部を損傷させてしまい、新しい回路基板が取り付けられなくなるという問題があった。
【０００７】
本発明は、前記のような課題を解決するためになされたものであり、作業スペースが狭い場合でも、クランプに固定されて静止部材に取り付けられている基板を簡易に取り外すことができる基板取り外し用治具を得ることを目的とする。
【課題を解決するための手段】
【０００８】
本発明に係る基板取り外し用治具は、軸部、および軸部先端部から根元側に向かって開脚状に形成され、弾性変形して閉脚する可動係止片からなる係止部を有するクランプが、該軸部を静止部材の表面に起立状態に配設され、基板に穿設された取付穴に通された上記係止部の上記可動係止片と上記静止部材との間に挟持されて上記クランプに固定されて上記静止部材に装着された該基板を取り外す基板取り外し用治具であって、筐体と、筒体に作製され、該筒体の一端側の開口縁部が上記可動係止片の外周面に係合して該可動係止片を上記取付穴に挿通可能な閉脚状態に弾性変形させた状態で、上記係止部の該取付穴からの延出部を収容する嵌着部と、上記嵌着部の他端と上記筐体とを連結一体化する支持棒と、上記筐体内に上記支持棒の長さ方向に往復移動可能に配設された把持部と、上記支持棒に該支持棒の長さ方向に往復移動可能に支持されて該支持棒に並設され、その一端が上記筐体内に延出して上記把持部に固着された作動棒と、上記嵌着部の一端側と対向するように上記作動棒の他端に固着され、上記把持部の該嵌着部から離反する方向の移動により該嵌着部との間に上記基板を挟持する爪部と、を備えている。
【発明の効果】
【０００９】
本発明によれば、嵌着部が支持棒を介して筐体に連結されているので、静止部材から離れた位置から嵌着部を係止部に被せることで、可動係止片が閉脚状態となり、クランプによる基板の固定が解消される。ついで、把持部を嵌着部から離反する方向に移動させることで、爪部と嵌着部との間に基板を挟持できる。そこで、爪部と嵌着部との間に基板を挟持した状態で基板取り外し用治具を静止部材から引き離すことで、基板を簡易に静止部材から取り外すことができ、作業負荷が軽減されるとともに、クランプの損傷の発生が抑えられる。
【図面の簡単な説明】
【００１０】
【図１】回路基板をフレームに取り付け方法を説明する工程図である。
【図２】この発明の一実施の形態に係る基板取り外し用治具の構成を説明する図である。
【図３】この発明の一実施の形態に係る基板取り外し用治具を用いた回路基板の取り外し方法を説明する工程断面図である。
【図４】この発明の一実施の形態に係る基板取り外し用治具を用いた回路基板の取り外し方法を説明する工程断面図である。
【発明を実施するための形態】
【００１１】
まず、本願の基板取り外し用治具を説明するに先だって、本願の特徴を明確にするために、基板の取り付け構造について図１を参照しつつ説明する。
【００１２】
図１は回路基板をフレームに取り付け方法を説明する工程図である。
図１において、静止部材としてのフレーム１は、例えば空気調和装置の室外機の筐体である。クランプ２は、例えば、ポリエチレン、ポリプロピレンなどの弾性プラスチック材料で作製され、細長い平板状の基板部３と、その片側表面の中央に立設された軸部５、軸部５の先端部から基板部３側（根元側）に向かって開脚状に形成され、弾性変形して閉脚する一対の可動係止片６、および各可動係止片６の自由端から延設された舌片７からなる係止部４と、で構成されている。また、図示していないが、基板部５の長さ方向の両端には、貫通穴が穿設されている。そして、クランプ２は、フレーム１に突設された固定ピン（図示せず）を貫通穴に挿入し、貫通穴からの固定ピンの延出端をカシメ、フレーム１に固着されている。
【００１３】
回路基板８は、例えば室外機内に収容されている制御基板であり、取付穴９がその四隅に穿設されている。そして、回路基板８は、図１の（ａ）に示されるように、四隅に穿設された取付穴９がクランプ２の係止部４上に位置するように位置合わせされ、取付穴９内に係止部４を通すようにフレーム１側に押し付けられる。そこで、一対の可動係止片６は、図１の（ｂ）に示されるように、フレーム１側に移動する回路基板８の取付穴９の内壁面に押圧され、軸部５との連結部を支点として軸部５側に近づくように、即ち閉脚するように回動する。このとき、一対の可動係止片６は弾性変形しつつ回動し、復元力が蓄勢される。
【００１４】
そして、回路基板８が基板部３に当接するまで押し付けられると、一対の可動係止片６が取付穴９を通り抜け、取付穴９の内壁面を介して可動係止片６に作用していた押し付け力がなくなる。そこで、一対の可動係止片６が、蓄勢された復元力により、軸部５との連結部を支点として軸部５から離反する方向に回動し、開脚状態に復元する。このとき、舌片７が取付穴９の内壁面に当接し、一対の可動係止片６のそれ以上の開脚が阻止される。そして、図１の（ｃ）に示されるように、可動係止片６の自由端が回路基板８の表面に当接し、回路基板８が可動係止片６と基板部３（フレーム１）との間に挟持される。これにより、回路基板８がクランプ２に固定されてフレーム１に取り付けられる。
【００１５】
つぎに、基板取り外し用治具１０の構成について図２を参照しつつ説明する。
図２はこの発明の一実施の形態に係る基板取り外し用治具の構成を説明する図であり、図２の（ａ）は斜視図、図２の（ｂ）は要部断面図である。
図２において、基板取り外し用治具１０は、回路基板８を固定するクランプ２の係止部４に外嵌状態に装着されて、クランプ２による回路基板８の固定を解除する嵌着部１２と、嵌着部１２との間に回路基板８を挟持する爪部１７と、爪部１７を嵌着部１２側に引き寄せて、嵌着部１２と爪部１７とによる所定の挟持力を発生させる操作部１８と、を備えている。
【００１６】
嵌着部１２は、一対の可動係止片６が取付穴９を挿通可能な閉脚状態となっているクランプ２の係止部４を収容できる内形形状の有底筒体に作製され、面取り部１３が開口縁部の内周側に形成されている。そして、嵌着部１２は、筐体１１から一体に延設された所定長さの支持棒１４の端部にその底部を固着されて、筐体１１に取り付けられている。また、２つのガイドリング１５が支持棒１４にその長さ方向に離間して固着されている。
作動棒１６が、２つのガイドリング１５を挿通して、支持棒１４と所定距離離反して、かつ支持棒１４と平行に配設されている。そして、爪部１７が嵌着部１２の開口と相対するように作動棒１６の他端部に一体に形成されている。
【００１７】
操作部１８は、支持棒１４の長さ方向に往復移動可能に筐体１１内に配設された把持部１９と、把持部１９と筐体１１の内壁面との間に収縮され、把持部１９を嵌着部１２側に付勢するバネなどの付勢部材２０と、を備えている。そして、作動棒１６の一端側が筐体１１内に延出され、作動棒１６の一端が把持部１９に固着されている。さらに、図示していないが、ガイドリング１５と係合するストッパが作動棒１６に突設されている。
【００１８】
つぎに、このように構成された基板取り外し用治具１０の動作について説明する。
基板取り外し用治具１０の初期状態では、付勢部材２０の付勢力が把持部１９に作用し、把持部１９を嵌着部１２側に押圧している。そして、把持部１９が嵌着部１２側に移動し、作動棒１６が筐体１１から離反する方向に移動する。この時、ストッパがガイドリング１５と係合し、作動棒１６のそれ以上の移動が阻止される。これにより、爪部１７が嵌着部１２の開口端面から所定距離離れた状態に保持される。
【００１９】
ついで、作業者が把持部１９を握ると、付勢部材２０が収縮し、作動棒１６がガイドリング１５に案内されて、支持棒１４と平行に、筐体１１側に移動する。これにより、爪部１７と嵌着部１２の開口端面との距離が短くなる。そして、作業者が把持部１９を握るのを止めると、付勢部材２０が伸張し、初期状態に復帰する。
【００２０】
つぎに、基板取り外し用治具１０による回路基板８の取り外し作業について図３および図４を参照しつつ説明する。図３および図４はそれぞれこの発明の一実施の形態に係る基板取り外し用治具を用いた回路基板の取り外し方法を説明する工程断面図である。なお、図３および図４では、嵌着部１２および爪部１７以外の基板取り外し用治具１０の構成は省略されている。
【００２１】
まず、作業者が把持部１９をもって、基板取り外し用治具１０の嵌着部１２および爪部１７側をフレーム１内に挿入する。そして、図示していないが、爪部１７を回路基板８の裏面側に位置させた後、図３の（ａ）に示されるように、嵌着部１２を下降させ、クランプ２の係止部４に被せる。
そして、嵌着部１２の下降により、図３の（ｂ），（ｃ）に示されるように、面取り部１３が一対の可動係止片６に当接し、その後可動係止片６の外周面上を滑りながら下降し、可動係止片６が軸部５との連結部を支点として弾性変形しつつ閉脚方向に回動し、可動係止片６による回路基板８の固定が解除される。
【００２２】
そして、嵌着部１２の開口端面が回路基板８の表面に当接すると、図４の（ａ）に示されるように、係止部４の取付穴９からの延出部が嵌着部１２内に収容される。このとき、一対の可動係止片６の最大外形寸法が取付穴９の内形寸法より小さくなる。即ち、係止部４は可動係止片６を取付穴９に挿通可能な閉脚状態に弾性変形された状態で嵌着部１２内に収容されている。
ついで、作業者は、把持部１９を握り、作動棒１６を筐体１１側に移動させる。これにより、爪部１７が嵌着部１２の開口端面側に移動し、回路基板８の裏面に当接し、回路基板８が嵌着部１２と爪部１７との間に加圧挟持される。そして、作業者は、把持部１９を握りつつ、基板取り外し用治具１０を上方に引き上げる。
【００２３】
そこで、回路基板８が基板取り外し用治具１０とともに引き上げられ、可動係止片６が面取り部１３を滑りながら開脚する。そして、可動係止片６の自由端が取付穴９内に位置するまで基板取り外し用治具１０が引き上げられると、図４の（ｂ）に示されるように、可動係止片６が取付穴９の内壁面に当接する。
さらに、基板取り外し用治具１０が引き上げられると、図４の（ｃ）に示されるよう、可動係止片６と取付穴９の内壁面との係合が解除され、可動係止片６が開脚し、初期状態に復帰する。そして、回路基板８がフレーム１から取り外される。
【００２４】
この発明による基板取り外し用治具１０は、筐体１１と、筒体に作製され、筒体の一端側の面取り部１３が可動係止片６の外周面に係合して可動係止片６を取付穴９に挿通可能な閉脚状態に弾性変形させた状態で、係止部４の取付穴９からの延出部を収容する嵌着部１２と、嵌着部１２の他端と筐体１１とを連結一体化する支持棒１４と、筐体１１内に支持棒１４の長さ方向に往復移動可能に配設された把持部１９と、支持棒１４に支持棒１４の長さ方向に往復移動可能に支持されて支持棒１４に並設され、その一端が筐体１１内に延出して把持部１９に固着された作動棒１６と、嵌着部１２の一端側と対向するように作動棒１６の他端に固着され、把持部１９の嵌着部１２から離反する方向の移動により嵌着部１２との間に回路基板８を挟持する爪部１７と、を備えている。
【００２５】
そこで、フレーム１内の作業スペースが狭くとも、フレーム１の外から嵌着部１２および爪部１７を差し入れて、回路基板８をフレーム１から取り外すことができる。また、作業者は、一方の手で把持部１９を持って作業できるので、空いているもう一方の手をフレーム１内に差し入れて、回路基板８を抑えながら、回路基板８をフレーム１から取り外すことができる。したがって、作業スペースが狭くとも、回路基板８を簡易に取り外すことができ、作業負荷が軽減されるとともに、クランプ２を損傷することもない。
【００２６】
なお、上記実施の形態では、空気調和装置の室外機のフレーム内に設置されている回路基板の取り外しに適用するものとして説明しているが、静止部材は室外機のフレームに限定されるものではなく、例えば車両の車体ボディでもよい。
【００２７】
また、上記実施の形態では、一対の可動係止片が軸部先端部から基板部側に向かって開脚状に形成されているものとしているが、可動係止片の個数は２つに限定されるものではなく、可動係止片の個数は３つ以上であってもよい。この場合、可動係止片の周方向の配列ピッチを等角ピッチとすることが好ましい。
【００２８】
また、上記実施の形態では、クランプが、基板部と、軸部、可動係止片、および舌片からなる係止部と、を備えているものとしているが、クランプは、これに限定されるものではなく、樹脂製であれば、少なくとも、静止部材に取り付けられる基板部と、基板部に立設された軸部と、軸部先端部から基板部に向かって開脚状に形成され、弾性変形して閉脚する可動係止片とを備えていればよい。また、クランプが弾性を有する金属性であれば、軸部と、軸部先端部から根元側に向かって開脚状に形成され、弾性変形して閉脚する可動係止片とを備えていればよい。この場合、クランプは、軸部の根元側をフレームに溶接などにより固着して、フレーム表面に起立状態に取り付ければよい。
【符号の説明】
【００２９】
１  フレーム（静止部材）、２  クランプ、３  基板部、４  係止部、５  軸部、６  可動係止片、８  回路基板、９  取付穴、１０  基板取り外し用治具、１１  筐体、１２  嵌着部、１３  面取り部（開口縁部）、１４  支持棒、１５  ガイドリング、１６  作動棒、１７  爪部、１９  把持部。
【図１】
2010270920.tif 000003
【図２】
2010270920.tif 000004
【図３】
2010270920.tif 000005
【図４】
2010270920.tif 000006